(57)【要約】【課題】回路基板の形成時に対となる連結桟を切り離すことで切り欠き凹部が形成され、そこに、エレメントに設けた曲げ部を挿入させて構成されるアンテナに関し、両者の組み合わせ作業が良好に行えるものを提供する。【解決手段】個々の回路基板１が、対となった右側連結桟６２で枠部６０に繋がった状態に加工するとき、連結桟６２幅の端部位置からその幅の内側に向かって窪む凹状部８１を設け、その後、上記凹状部８１を含む位置で右側連結桟６２を切断することにより、第４切り欠き凹部７を形成し、その凹状部８１の一部分を、その開口側先端に位置する面取り形状部７１に形成されるようにした。このため、上記切断箇所から第４切り欠き凹部７内に至るヒゲ発生が抑制され、右側エレメント４１の第３曲げ部４５の挿入作業が良好に行えるものとなる。【選択図】図４
2009159582.tif 000002
【特許請求の範囲】
【請求項１】
金属板製のエレメントと、そのエレメントが固定される回路基板とからなり、上記エレメントは曲げ部を有し、その曲げ部が上記回路基板に設けられた切り欠き凹部内に挿入されて上記回路基板に上記エレメントが組み合わせられて構成されるアンテナにおいて、上記回路基板は、連結桟切断によって外方開口の上記切り欠き凹部が形成され、その連結桟切断箇所から、上記曲げ部の挿入箇所となる上記切り欠き凹部内に至るヒゲ発生が抑制されるように上記切り欠き凹部の開口先端の角部位置が面取り形状部に形成されている構成とされたことを特徴とするアンテナ。
【請求項２】
複数個の回路基板用の導電部位が定間隔で形成された大判基板を準備して、その大判基板に切断加工を施し、枠部に対して、対となった連結桟で個々の回路基板が複数繋がると共に、その連結桟の分離位置にあたる箇所に連結桟幅の端部位置から上記連結桟の幅の内側に向かって窪む凹状部を設けたものとし、その後、上記凹状部を含む位置で上記各連結桟を切断して上記枠部から切り離し、その対となる連結桟どうしの間が外方開口の切り欠き凹部になり、かつ上記凹状部の一部分が上記切り欠き凹部の開口先端の角部に位置する面取り形状部としてなる形状の個々の回路基板に分断し、その後、金属板製のエレメントに設けられている曲げ部を上記切り欠き凹部内に挿入して上記分断された個々の回路基板に上記エレメントを組み合わせるアンテナの製造方法。
【請求項３】
凹状部を配設するにあたって、外形の一部分が上記凹状部としてなる形状の孔部を設け、続いてその孔部の外形の一部分が上記凹状部としてなるように連結桟を形成する請求項２記載のアンテナの製造方法。
【発明の詳細な説明】
【技術分野】
【０００１】
本発明は、携帯電話に代表される移動体通信機器に搭載されるアンテナおよびアンテナの製造方法に関するものである。
【背景技術】
【０００２】
近年、携帯電話等の移動体通信機器は小型、軽量化が進み、それに伴いその移動体通信機器に搭載されるアンテナについても小型、軽量化への要望が強くなっている。そして、アンテナの形態としても移動体通信機器の筐体内部に収納されて配される内蔵式のアンテナが多くなってきている。
【０００３】
ここで、そのような移動体通信機器を代表する携帯電話機に用いられる従来のアンテナについて、図５〜図９を用いて説明する。
【０００４】
図５は従来の内蔵式のアンテナの正面図、図６は同分解斜視図、図７は同要部である右側エレメントと回路基板との組み合わせ部分の拡大正面図である。
【０００５】
同図において、１は、ガラスエポキシ製の回路基板であり、その外形は、略長方形で、長手方向にあたる左右の両側位置には、それぞれ貫通孔２、３が設けられている。
【０００６】
そして、回路基板１の長手方向にあたる左側の端部には第１切り欠き凹部４が設けられ、また貫通孔２が設けられた上下位置にあたる上下端部のそれぞれにも第２切り欠き凹部５および第３切り欠き凹部６が形成されている。また、回路基板１の長手方向にあたる右側の端部にも、第４切り欠き凹部７が設けられ、また貫通孔３が設けられた下側の位置にあたる下端部にも第５切り欠き凹部８が形成されている。各第１〜第５切り欠き凹部４〜８はいずれも略矩形状で外方側が開口した形状で設けられている。
【０００７】
そして、その左右の両端位置それぞれの正面側には、各貫通孔２、３を囲むように左側導電部１０、右側導電部１１が形成されていると共に、その右側導電部１１と左側導電部１０との間には、回路基板１の長手方向に沿って、右側導電部１１から左側導電部１０に向かって伸び、その途中で二つに分岐されている配線パターン１３、１５が形成されている。
【０００８】
そして、左側導電部１０からの延出部と配線パターン１３の間には、チップコイル素子２０がはんだ付け接続され、左側導電部１０からの延出部と配線パターン１５の間には、チップコンデンサ素子２１がはんだ付け接続されている。なお、各導電部１０、１１は露出状態で配されているが、左側導電部１０からの延出部や配線パターン１３、１５上は絶縁レジストで覆われている。
【０００９】
そして、回路基板１左右の両側位置には、金属板から形成された左側エレメント３１、右側エレメント４１がそれぞれ結合されている。
【００１０】
左側エレメント３１は、右側位置に、正面側が開口するコの字状の結合部を備えている。その結合部としては、正面に向いた平坦な底面部３５の上下端それぞれが正面側に向かって直交状態で曲げられた第１および第２曲げ部３３および３４に形成されると共に、上記底面部３５に、貫通孔２に対応させて略同径の貫通孔３６が設けられた形状で構成されている。
【００１１】
そして、この左側エレメント３１は、第１曲げ部３３および第２曲げ部３４を、回路基板１の左側部分に設けられた上下端の第２切り欠き凹部５および第３切り欠き凹部６にそれぞれ挿入させて結合部が回路基板１後方から組み合わせられ、さらにその後方から頭付きの金属鋲５０が、重なり合った貫通孔３６、２に挿入されて、その金属鋲５０の先端が左側導電部１０に接触するように正面側で鳩目カシメされることによって回路基板１に機械的かつ電気的に接続された状態で組み合わせられている。なお、第１および第２曲げ部３３および３４を、第２および第３切り欠き凹部５および６に挿入させた構成としているのは、回路基板１と左側エレメント３１との結合状態での角度ブレなどを規制するためである。
【００１２】
そして、右側エレメント４１は、回路基板１との結合部が左側位置に設けられ、その結合部は、貫通孔３に対応させて略同径で設けられた貫通孔４３を有した平坦な底面部４４の右側の端部と下側の端部が正面側に向かって直交状態で曲げられた第３曲げ部４５と第４曲げ部４６に形成されて構成されている。そして、その結合部の上部位置から伸ばされた延出部は後方への曲げ部を介してさらに右方に伸びた形状となっている。
【００１３】
この右側エレメント４１は、回路基板１の右側部分に設けられた第４切り欠き凹部７と第５切り欠き凹部８に、結合部の正面に向けて曲げ形成された第３曲げ部４５と第４曲げ部４６を挿入させて結合部が回路基板１後方から組み合わせられ、さらにその後方から頭付きの金属鋲５１が、重なり合った貫通孔４３、３に挿入されて、その金属鋲５１の先端が右側導電部１１に接触するように正面側で鳩目カシメされることによって回路基板１に機械的かつ電気的に接続された状態で組み合わせられている。
【００１４】
この右側エレメント４１においても、その結合部に設けた第３および第４曲げ部４５および４６を、第４および第５切り欠き凹部７および８にそれぞれ挿入させているのは、左側の構成部分と同様で、回路基板１と右側エレメント４１との結合状態での角度ブレなどを規制するためである。なお、その回路基板１への装着角度ブレを規制するための係合位置は、使用機器に搭載された状態での他の部品との配置関係や、所望のアンテナ特性が得られる形状設定などにより制約を受け、それらから当該構成のものにおいては、左側エレメント３１と右側エレメント４１とで各曲げ部の配置関係が異なる位置に設けられたものとなっている。
【００１５】
以上のように、回路基板１に左側エレメント３１、右側エレメント４１がそれぞれ装着接続されて、従来の内蔵式のアンテナは構成されている。
【００１６】
そして、この従来のアンテナは、図示しない携帯電話機の筐体内に、図５に示す正面側を筐体面に対向する収納状態にして搭載される。そして、その搭載状態では、上記筐体内に配された金属バネ部材（図示せず）が、左側エレメント３１の二股に分かれて左後方位置にそれぞれ曲げ形成されて伸びる平坦面に弾接接続され、その金属バネ部材を介して携帯電話機器内に配された回路部と電気的接続が図られて使用される。その搭載状態を図８に模式的に示す。
【００１７】
そして、その搭載状態での動作としては、所望の低い周波数帯域では、左側エレメント３１、回路基板１、右側エレメント４１の全長に亘るアンテナ長で共振して、対応する低い周波数帯域の電波の送受信がなされ、所望の高い周波数帯域では、チップコイル素子２０とチップコンデンサ素子２１とで構成された回路部によって、それより右側の部分が遮断された短いアンテナ長のものに等価となって、対応する高い周波数帯域の電波の送受信がなされるものとして使用される。
【００１８】
次に、上記構成の従来のアンテナの製造方法について説明する。
【００１９】
まず、複数個の回路基板１用の左側導電部１０、右側導電部１１や配線パターン１３、１５からなる導電部位が定間隔でパターニングされている大判基板を準備し、その大判基板に対して大型プレスで切断加工することにより、図９に示すように、個々の回路基板１の左右端部が、対となった２つの左側連結桟６１ならびに、対となった２つの右側連結桟６２で、それぞれ枠部６０に繋がった状態のものに形成する。
【００２０】
この加工時においては、大型プレスでの切断加工であるため、個々の回路基板１形状が同時に精度よくトリミング加工される。つまり、枠部６０内の不要部分が打ち抜かれ、個々の回路基板１の第２切り欠き凹部５、第３切り欠き凹部６、第５切り欠き凹部８や、貫通孔２と３、さらには左側連結桟６１どうし間の矩形状の左側孔部６３、右側連結桟６２どうし間の矩形状の右側孔部６４の打ち抜きが、それぞれ精度高く行われ、回路基板１の各部位が同時に高精度に形成されると共に、上記それぞれが対となった各連結桟６１、６２も同様に高精度で形成される。ここに、対となった左側連結桟６１どうしは近接して設けられ、互いの間の左側孔部６３における図９中での上下方向にあたる寸法は、回路基板１における左側端部の第１切り欠き凹部４の寸法に合わせられており、上記左側孔部６３の切断加工により第１切り欠き凹部４も同時に高精度に形成される。また、対となった右側連結桟６２どうしも近接して設けられ、互いの間の右側孔部６４における図９中での上下方向にあたる寸法は、回路基板１における右側端部の第４切り欠き凹部７の寸法に合わせられており、上記右側孔部６４の切断加工により第４切り欠き凹部７も同時に高精度に形成される。
【００２１】
そして、枠部６０に個々の回路基板１が複数個繋がった状態のまま、個々の回路基板１それぞれの正面側に対し、上述した配置状態となるようにチップコイル素子２０とチップコンデンサ素子２１とを半田付け実装し、その後に、各連結桟６１、６２を図９に示したＸ−Ｘ線の位置で切断して、チップ部品実装済みの個々の回路基板１とする。なお、上記の各連結桟６１、６２の切断により、個々の回路基板１の第１切り欠き凹部４と第４切り欠き凹部７とは外方開口形状のものとして完成される。
【００２２】
続いて、分断された個々の回路基板１に対して、その左側部分に設けられた第２切り欠き凹部５と第３切り欠き凹部６に、第１曲げ部３３と第２曲げ部３４を挿入させつつ左側エレメント３１を回路基板１に組み合わせ、重なり合った貫通孔３６、２に金属鋲５０を挿入して正面側から鋲かしめ用ポンチで鳩目カシメする。また、同様に、その右側部分に設けられた第４切り欠き凹部７と第５切り欠き凹部８に、第３曲げ部４５と第４曲げ部４６を挿入させつつ右側エレメント４１を回路基板１に組み合わせ、重なり合った貫通孔４３、３に金属鋲５１を挿入して正面側から鋲かしめ用ポンチで鳩目カシメして上述したアンテナとして完成させるものであった。
【００２３】
なお、この出願の発明に関連する先行技術文献情報としては、例えば、特許文献１、特許文献２が知られている。
【特許文献１】特開平５−１２１９２４号公報
【特許文献２】特開２００７−２７４６６５号公報
【発明の開示】
【発明が解決しようとする課題】
【００２４】
上記従来のアンテナは、チップコイル素子２０とチップコンデンサ素子２１とが半田付け実装された回路基板１に、左側エレメント３１ならびに右側エレメント４１を結合させて構成したものであり、その製造時には、チップコイル素子２０とチップコンデンサ素子２１とを効率よく実装するため、複数の個々の回路基板１が各連結桟６１、６２で枠部６０に繋がった状態でチップ実装して、その実装後に個々の回路基板１として分離するようにしていた。
【００２５】
しかしながら、その個々の回路基板１に切断するための切断加工時に、同時に複数個を切断分離して搬送すると、チップコイル素子２０とチップコンデンサ素子２１の剥がれなどが発生するため、個々の回路基板１毎に各連結桟６１、６２の切断を行うようにしなければならず、このため、その切断時に用いるプレスとしても治具レベルのものを用いて切断加工をせざるを得ず、その分、加工精度にも劣って切断方向下方側を引きちぎるような切断状態となり、特に切断方向下方側の角部の位置に織り込まれている繊維などがヒゲとして発生することも多かった。そして、当該従来のアンテナは、上述説明や図５〜図７からも判るように、右側エレメント４１の第３曲げ部４５を、第４切り欠き凹部７に挿入させて構成していたものであったため、上記ヒゲが、回路基板１の右側連結桟６２の切断箇所に発生して、それが第４切り欠き凹部７内に至るものであると、第３曲げ部４５の挿入作業性が悪くなるという課題があった。
【００２６】
本発明は、このような従来の課題を解決するものであり、回路基板の形成時に対となる連結桟を切り離すことにより回路基板の切り欠き凹部が形成され、そこに、エレメントに設けた曲げ部を挿入させて構成されるアンテナにおいて、その回路基板の連結桟切断箇所からの上記切り欠き凹部内に至るヒゲ発生が少なくできて、エレメントと回路基板との組み合わせ作業が良好に行える構成としてなるアンテナおよびアンテナの製造方法を提供することを目的とする。
【課題を解決するための手段】
【００２７】
上記目的を達成するために本発明は、以下の構成を有するものである。
【００２８】
本発明の請求項１に記載の発明は、金属板製のエレメントと、そのエレメントが固定される回路基板とからなり、上記エレメントは曲げ部を有し、その曲げ部が上記回路基板に設けられた切り欠き凹部内に挿入されて上記回路基板に上記エレメントが組み合わせられて構成されるアンテナにおいて、上記回路基板は、連結桟切断によって外方開口の上記切り欠き凹部が形成され、その連結桟切断箇所から、上記曲げ部の挿入箇所となる上記切り欠き凹部内に至るヒゲ発生が抑制されるように上記切り欠き凹部の開口先端の角部位置が面取り形状部に形成されている構成とされたことを特徴とするアンテナとしたものであり、回路基板の連結桟切断によって形成される切り欠き凹部の角部位置が面取り形状部に形成されているものとしたことによって、その連結桟切断箇所からの上記切り欠き凹部内に至るヒゲ発生が抑制されたものにでき、切り欠き凹部内への上記ヒゲの侵入が防止されるため、回路基板へのエレメントの組み合わせ作業が容易で、製造工数的に有利な構成としてなるアンテナを得ることができるという作用を有する。
【００２９】
請求項２に記載の発明は、複数個の回路基板用の導電部位が定間隔で形成された大判基板を準備して、その大判基板に切断加工を施し、枠部に対して、対となった連結桟で個々の回路基板が複数繋がると共に、その連結桟の分離位置にあたる箇所に連結桟幅の端部位置から上記連結桟の幅の内側に向かって窪む凹状部を設けたものとし、その後、上記凹状部を含む位置で上記各連結桟を切断して上記枠部から切り離し、その対となる連結桟どうしの間が外方開口の切り欠き凹部になり、かつ上記凹状部の一部分が上記切り欠き凹部の開口先端の角部に位置する面取り形状部としてなる形状の個々の回路基板に分断し、その後、金属板製のエレメントに設けられている曲げ部を上記切り欠き凹部内に挿入して上記分断された個々の回路基板に上記エレメントを組み合わせるアンテナの製造方法としたものであり、大判基板への切断加工を大型プレスで切断加工することにより、連結桟およびそこに設ける凹状部が高精度に形成され、続いて、凹状部の位置を含んで連結桟を切断する際、治具レベルのプレスで切断加工を行ったとしても、精度高く形成された上記凹状部の一部分が、上記切り欠き凹部の開口側先端の角部位置に面取り形状部として必然的に位置する形状としてなる個々の回路基板が形成されるようにできる。また、上記開口側先端位置が面取り形状部として必然的に形成される切り欠き凹部に対して、上記連結桟切断箇所が、面取り形状部の分だけ離れた位置ともなるため、上記連結桟切断箇所からの上記切り欠き凹部内に至るヒゲ発生が抑制できて、その後の個々の回路基板へのエレメントの組み込み作業が良好に行えるようにできるという作用を有する。
【００３０】
請求項３に記載の発明は、請求項２記載の発明において、凹状部を配設するにあたって、外形の一部分が上記凹状部としてなる形状の孔部を設け、続いてその孔部の外形の一部分が上記凹状部としてなるように連結桟を形成するものであり、予め孔部を設けておき、その後の切断加工で凹状部として形成されるようにすると、切断用ポンチ形状が簡素な形状で済み、メンテナンスを含む管理面で有利であるという作用を有する。
【発明の効果】
【００３１】
以上のように本発明によれば、回路基板の形成時に対となる連結桟を切り離すことにより回路基板の切り欠き凹部が形成され、そこに、エレメントに設けた曲げ部を挿入させて構成されるアンテナにおいて、その回路基板の連結桟切断箇所からの上記切り欠き凹部内に至るヒゲ発生が抑制でき、エレメントと回路基板との組み合わせ作業が良好に行える構成としてなるアンテナおよびアンテナの製造方法を得ることができるという有利な効果が得られる。
【発明を実施するための最良の形態】
【００３２】
以下、本発明による実施の形態について、図１〜図４を用いて説明する。なお、従来と同じ構成部分には、同一符号を付して詳細な説明は省略する。
【００３３】
（実施の形態）
図１は本発明の一実施の形態によるアンテナの正面図、図２は同要部である右側エレメントと回路基板との組み合わせ部分の拡大正面図である。
【００３４】
同図に示すように、当該アンテナは、回路基板１の左右位置に左側エレメント３１、右側エレメント４１が金属鋲５０、５１を介してそれぞれ結合されて構成されている。そして、回路基板１の正面側には、左側導電部１０と右側導電部１１、配線パターン１３、１５が形成されており、左側導電部１０の延出部と配線パターン１３の間には、チップコイル素子２０がはんだ付け接続され、左側導電部１０の延出部と配線パターン１５の間には、チップコンデンサ素子２１がはんだ付け接続されている。
【００３５】
左側エレメント３１は、その結合部において、平坦な底面部３５（図６参照）に対し、その上下端それぞれに正面側に向かって直交状態に曲げられて形成された第１曲げ部３３と第２曲げ部３４が、回路基板１の左側部分に対応して設けられた第２切り欠き凹部５と第３切り欠き凹部６に後方側から挿入されるようにして組み合わせられ、重なり合った貫通孔３６、２（共に図１と図２には表れず）に金属鋲５０が挿通されて正面側で鳩目カシメされることにより、回路基板１に機械的に接続され、かつ左側導電部１０と電気的に接続されている。
【００３６】
右側エレメント４１は、その結合部において、平坦な底面部４４（図６参照）に対し、その右側の端部と下側の端部が正面側に向かって直交状態に曲げられて形成された第３曲げ部４５と第４曲げ部４６が、回路基板１の右側部分に対応して設けられた第４切り欠き凹部７と第５切り欠き凹部８に後方側から挿入されるようにして組み合わせられ、重なり合った貫通孔４３、３（共に図１と図２には表れず）に金属鋲５１が挿通されて正面側で鳩目カシメされることにより、回路基板１に機械的に接続され、かつ正面側の右側導電部１１と電気的に接続されている。
【００３７】
以上の構成は、従来のものと同じであるが、当該実施の形態によるものは、図１や図２にも示すように、第４切り欠き凹部７を形成している先端角部位置などを面取り形状部７１として構成していることを特徴としている。そして、上記面取り形状部７１を有するものとしたことによって、織り込まれている繊維などの、後述する連結桟切断箇所からの第４切り欠き凹部７内に至るヒゲ発生が抑制されて、右側エレメント４１と回路基板１との組み合わせ作業が良好に行えるものとなっている。
【００３８】
この面取り形状部７１は、単体に分離された状態の回路基板１に個々に加工を施して形成してもよいが、当該アンテナのように、チップ部品を実装しているものにおいては、個々の回路基板１が複数個繋がった大判状態でチップ部品を効率よく実装することが好ましく、その一方、それらを同時に分離して搬送すると課題の項にも記載したようにチップ部品の剥がれなどが発生しやすいことから、当該アンテナにおいては、それとは異なる方法で、面取り形状部７１が形成できる製造方法を用いており、以下に、そのアンテナの製造方法について説明する。
【００３９】
まず、複数個の回路基板１用の左側導電部１０、右側導電部１１や配線パターン１３、１５からなる導電部位が定間隔でパターニングされている大判基板を準備し、その大判基板に大型プレスで切断加工を施す。
【００４０】
これにより、図３に示すように、複数個の個々の回路基板１が、それぞれ左側の端部では、対となった２つの左側連結桟６１で枠部６０に繋がり、右側の端部では、対となった２つの右側連結桟６２で枠部６０に繋がった状態のものとする。なお、対となる左側連結桟６１どうしは、近接して設けられ、互いの間の左側孔部６３における図３中での上下方向にあたる寸法は、第１切り欠き凹部４の寸法に合わせて設けられている。また、対となる右側連結桟６２どうしも、近接して設けられ、互いの間の右側孔部６４における図３中での上下方向にあたる寸法は、第４切り欠き凹部７の寸法に合わせて設けられている。そして、このとき同時に、対毎で構成されるそれぞれの左側連結桟６１および右側連結桟６２において、図３およびその部分拡大図である図４に示すように、枠部６０からの分離位置にあたる箇所（図３、図４にはＹ−Ｙ線で示す）には、各連結桟６１、６２幅の端部位置からその幅の内側に向かって窪む半円状の凹状部８１をそれぞれ設けたものとする。なお、連結桟６１どうし間側の各凹状部８１は、上述した左側孔部６３と一体で形成され、また連結桟６２どうし間側の各凹状部８１も、上述した右側孔部６４と一体で形成されるようにしている。
【００４１】
そして、上記の加工時においては、大型プレスでの切断加工であるため、枠部６０内の不要部分（例えば、各凹状部８１部分やそれに一体の左側孔部６３、右側孔部６４、ならびに個々の回路基板１どうしの間の部分など）が高精度に打ち抜かれて、個々の回路基板１形状が同時に精度よくトリミング加工される。つまり、このとき、個々の回路基板１の第１〜第５切り欠き凹部４〜８、貫通孔２、３などが同時に高精度に形成され、さらに個々の回路基板１を枠部６０に繋ぐ凹状部８１付きの各連結桟６１、６２も高精度に形成される。
【００４２】
なお、各凹状部８１の形成は、まずは、凹状部８１の配設箇所に、外形の一部分が上記凹状部８１としてなる形状の貫通する孔部を設け、続いてその孔部の外形の一部分が上記凹状部８１になるようにして連結桟６１、６２を形成するようにすると、切断用ポンチ形状が簡素な形状で済むため、メンテナンスを含む管理面で有利である。
【００４３】
続いて、枠部６０に個々の回路基板１が複数個繋がった状態のまま、個々の回路基板１それぞれにチップコイル素子２０とチップコンデンサ素子２１とを半田付け実装する。
【００４４】
その後、各連結桟６１、６２に対し、凹状部８１を含むＹ−Ｙ線の位置での切断加工を行う。この作業時には、やはり治具レベルのプレスを用いて個別に行わなければならないが、その各連結桟６１、６２の切断後には、個々の回路基板１は、上記凹状部８１の一部分が角部箇所に位置する形状で形成されることとなる。例えば、第１切り欠き凹部４や第４切り欠き凹部７においては、上記凹状部８１の一部分が、開口側の先端角部に位置した面取り形状部７１として必然的に形成されることとなる。このように、チップ部品実装後の個々の回路基板１への形成と同時に面取り形状部７１を有するものに工数少なく製造することができる。
【００４５】
そして、上記のように製造された個々の回路基板１としては、上記各連結桟６１、６２を治具レベルのプレスを用いて切断しているにも拘わらず、精度高く形成された上記凹状部８１の一部分が、その切断後には同時に面取り形状部７１としてなり、さらには、その面取り形状部７１が構成される分、第１切り欠き凹部４や第４切り欠き凹部７に対して各連結桟６１、６２の切断箇所が離れた位置ともなるため、その連結桟切断箇所から、それらの凹部４、７内に至るようなヒゲ発生が抑制されたものにできる。
【００４６】
最後に、上記分断された個々の回路基板１に対して、従来同様に左側エレメント３１と右側エレメント４１を組み合わせ、それぞれ金属鋲５０と５１で鳩目カシメしてアンテナとして完成させる。
【００４７】
その組み合わせの際、回路基板１は右側連結桟６２の切断箇所からの第４切り欠き凹部７内に至るヒゲ発生が抑制されているために、第４切り欠き凹部７への右側エレメント４１の第３曲げ部４５の挿入作業は良好に行うことができる。
【００４８】
以上のように、当該アンテナの製造方法は、従来の工程を大きく変えることなく対応可能なものであって、かつ、製造工数的にも殆ど同じ工数のものにできるため非常に有用である。
【００４９】
なお、凹状部８１の形状は半円状のものに限定されることはないが、その一部分が面取り形状部７１と形成されることとなるため、凹凸の少ない形状としておくことが好ましい。
【００５０】
また、回路基板１の材質も、ガラスエポキシ製以外のものであってもよく、さらにはチップ部品を実装していない構成のアンテナにおいても本発明による製造方法の思想を適用してもよい。
【産業上の利用可能性】
【００５１】
本発明によるアンテナおよびアンテナの製造方法は、回路基板の形成時に対となる連結桟を切り離すことにより回路基板の切り欠き凹部が形成され、そこに、エレメントに設けた曲げ部を挿入させて構成されるアンテナにおいて、その回路基板の連結桟切断箇所から、その連結桟切断工程で構成される切り欠き凹部内に至るヒゲ発生が抑制でき、エレメントと回路基板との組み合わせ作業が良好に行える構成としてなるものが得られるという有利な効果を有し、移動体通信機器に搭載して使用されるアンテナ等に有用なものである。
【図面の簡単な説明】
【００５２】
【図１】本発明の一実施の形態によるアンテナの正面図
【図２】同要部である右側エレメントと回路基板との組み合わせ部分の拡大正面図
【図３】同アンテナの製造方法を説明する図
【図４】同アンテナの製造方法を説明する図
【図５】従来の内蔵式のアンテナの正面図
【図６】同分解斜視図
【図７】同要部である右側エレメントと回路基板との組み合わせ部分の拡大正面図
【図８】同アンテナの搭載状態を模式的に示した図
【図９】同アンテナの製造方法を説明する図
【符号の説明】
【００５３】
１  回路基板
２、３  回路基板の貫通孔
４  第１切り欠き凹部
５  第２切り欠き凹部
６  第３切り欠き凹部
７  第４切り欠き凹部
８  第５切り欠き凹部
１０  左側導電部
１１  右側導電部
１３、１５  配線パターン
２０  チップコイル素子
２１  チップコンデンサ素子
３１  左側エレメント
３３  第１曲げ部
３４  第２曲げ部
３５  左側エレメントの結合部における底面部
３６  左側エレメントの結合部における貫通孔
４１  右側エレメント
４３  右側エレメントの結合部における貫通孔
４４  右側エレメントの結合部における底面部
４５  第３曲げ部
４６  第４曲げ部
５０、５１  金属鋲
６０  枠部
６１  左側連結桟
６２  右側連結桟
６３  左側孔部
６４  右側孔部
７１  面取り形状部
８１  凹状部
【図１】
2009159582.tif 000003
【図２】
2009159582.tif 000004
【図３】
2009159582.tif 000005
【図４】
2009159582.tif 000006
【図５】
2009159582.tif 000007
【図６】
2009159582.tif 000008
【図７】
2009159582.tif 000009
【図８】
2009159582.tif 000010
【図９】
2009159582.tif 000011